(57)【要約】      （修正有）【課題】乗物用表示装置ユニットにおいて、表示装置を精度よく組み付けることが可能であり、乗員が表示装置の表示内容を見やすく、意匠性を向上することが可能な表示装置の取付け構造を提供すること。【解決手段】乗物用表示装置ユニットへの表示装置８の取付け構造であって、表示装置８を取り付ける表示装置取付け部には、取付けボス４４とガイド部４２とが設けられている。表示装置８は、取付け座６２のガイド部当接面７２がガイド部４２に当接している状態で、固定部材７を介して表示装置取付け部に固定される。この際、ガイド部当接面７２がガイド部４２にガイドされるので、表示装置８が表示面露出開口部に誘導され、表示面１４の一端と機能面１２の一端とが連続し、かつ所定の角度で位置決めされる。【選択図】図８
2018176805.tif 000002
【特許請求の範囲】
【請求項１】
乗物用表示装置ユニットへの表示装置の取付け構造であって、
前記乗物用表示装置ユニットは、前記表示装置の表示機能とは別の機能を備えた乗物用機能部品を備えるとともに、前記表示装置と前記乗物用機能部品とを取り付けるためのユニットハウジングを備え、
前記ユニットハウジングは、
機能面露出開口部を有し、前記乗物用機能部品を、機能面が前記機能面露出開口部から外部に露出するように取付け可能な乗物用機能部品取付け部と、
乗物用機能部品取付け部から連なって設けられており、表示面露出開口部を前記機能面露出開口部から連続して有し、前記表示装置を、表示面が前記表示面露出開口部から外部に露出し、当該表示面の一端が前記機能面の一端と連続して配されるように取付け可能な表示装置取付け部と、を備え、
前記表示装置取付け部には、取付けボスと、当該取付けボスに向かって下降傾斜し、当該取付けボスに連結しているガイド部と、が設けられ、
前記表示装置は、前記表示装置取付け部に取り付けられる際に前記取付けボスに重畳する位置に設けられている取付け座を備え、
当該取付け座は、表示装置本体部から突出して設けられており、前記表示装置が前記表示装置取付け部に取り付けられる際に前記ガイド部に当接し、前記ガイド部に沿って傾斜しているガイド部当接面を有し、
前記取付け座の前記ガイド部当接面が、前記ガイド部に当接している状態で、前記取付け座及び前記取付けボスにおいて固定部材を介して前記表示装置を前記表示装置取付け部に取り付ける際に、前記ガイド部当接面が前記ガイド部にガイドされることにより、前記表示装置が前記表示面露出開口部に向かって誘導され、前記表示面の前記一端と前記機能面の前記一端とが連続して配され、前記表示面が前記機能面に対して所定の角度をもって位置決めされることを特徴とする乗物用表示装置ユニットへの表示装置の取付け構造。
【請求項２】
前記ユニットハウジングは、４つのフレーム片を含む略四角形状のフレーム部を備え、
前記フレーム部内において前記乗物用機能部品取付け部と前記表示装置取付け部とは隣接して設けられ、隣接部分において前記表示面露出開口部と前記機能面露出開口部が連続するように設けられており、
前記表示装置取付け部には、
前記４つのフレーム片のうち対向する２つの第１フレーム片と第２フレーム片のそれぞれから互いに対向するように延設されている壁部と、
前記第１フレーム片と前記第２フレーム片との間に配されている第３フレーム片から前記表示面露出開口部まで前記ガイド部の傾斜に沿って傾斜して延設され、前記壁部の延設端と連結され、前記表示装置を支持する支持壁部とが設けられ、
前記ユニットハウジングには、前記乗物用表示装置ユニットを乗物用内装品に取付けるためのクリップ座が、前記第１フレーム片あるいは前記第２フレーム片と前記第３フレーム片との角部付近に設けられており、
前記ガイド部及び前記取付けボスは、前記壁部の近傍において前記支持壁部に連結されて設けられ、前記ガイド部は前記クリップ座から前記取付けボスまで延設されていることを特徴とする請求項１に記載の乗物用表示装置ユニットへの表示装置の取付け構造。
【請求項３】
前記表示装置取付け部に取り付けられた前記表示装置は、前記支持壁部において前記表示面露出開口部の開口縁部分に当接する位置に、表示装置当接部を有していることを特徴とする請求項２に記載の乗物用表示装置ユニットへの表示装置の取付け構造。
【請求項４】
前記乗物用機能部品取付け部は、前記機能面露出開口部に対向して設けられている板状部材を有し、当該板状部材は、前記機能面露出開口部に配される前記機能面と対向する対向面と、当該対向面と反対側の裏面とを有し、
前記裏面に基板が固定部材により取り付けられており、
前記取付けボスと前記取付け座における前記固定部材の締結方向は、前記基板の前記裏面に対する前記固定部材の締結方向と同じであることを特徴とする請求項１ないし請求項３のいずれか一項に記載の乗物用表示装置ユニットへの表示装置の取付け構造。
【請求項５】
前記取付けボス及び前記ガイド部は複数設けられており、
対向して配されている前記第１フレーム片と前記第２フレーム片から延設されている前記壁部のそれぞれの近傍に、前記取付けボス及び前記ガイド部が１つずつ設けられていることを特徴とする請求項２または請求項３に記載の乗物用表示装置ユニットへの表示装置の取付け構造。
【発明の詳細な説明】
【技術分野】
【０００１】
本発明は、乗物用表示装置ユニットへの表示装置の取付け構造に関する。
【背景技術】
【０００２】
従来、車両の天井部に取り付けられる表示ユニットとして照明部と表示部を備えるものが知られている。例えば、下記特許文献１に記載の表示ユニットは、後部座席の乗員が表示部を視認できるように、運転席と助手席の間のフロントガラス近傍の天井部に取り付けられている。
【先行技術文献】
【特許文献】
【０００３】
【特許文献１】特開２０１１−１０５１５７号公報
【発明の概要】
【発明が解決しようとする課題】
【０００４】
上記文献に開示されている構成においては、天井部に取り付けられている表示ユニットに設けられている表示部は、後部座席の乗員から見やすいように、傾斜面に設けられている。しかしながら、傾斜面に設けられている表示部の表示面積には限界があり、特に文字や数字を表示する場合には、文字や数字のサイズが小さくなってしまい後部座席の乗員からは見づらいという問題があった。
【０００５】
そこで、後部座席の乗員が表示部の表示面を真っすぐ見ることができるように、表示ユニットにおいて、天井材に沿って配されている照明部に対して表示部を所定の角度をもって組み付けることが考えられる。しかしながら、このような構成において、照明部に対して表示部を精度よく組み付けることは非常に困難であった。
【０００６】
本発明は上記のような事情に基づいて完成されたものであって、乗物内において乗員が乗物用表示装置ユニットの表示内容を見やすく、表示装置を乗物用表示装置ユニットのユニットハウジングに精度よく位置合わせして組み付けることが可能であり、意匠性を向上することが可能な乗物用表示ユニットへの表示装置の取付け構造を提供することを目的とする。
【課題を解決するための手段】
【０００７】
上記課題を解決するために、本発明は、乗物用表示装置ユニットへの表示装置の取付け構造であって、前記乗物用表示装置ユニットは、前記表示装置の表示機能とは別の機能を備えた乗物用機能部品を備えるとともに、前記表示装置と前記乗物用機能部品とを取り付けるためのユニットハウジングを備え、前記ユニットハウジングは、機能面露出開口部を有し、前記乗物用機能部品を、機能面が前記機能面露出開口部から外部に露出するように取付け可能な乗物用機能部品取付け部と、乗物用機能部品取付け部から連なって設けられており、表示面露出開口部を前記機能面露出開口部から連続して有し、前記表示装置を、表示面が前記表示面露出開口部から外部に露出し、当該表示面の一端が前記機能面の一端と連続して配されるように取付け可能な表示装置取付け部と、を備え、前記表示装置取付け部には、取付けボスと、当該取付けボスに向かって下降傾斜し、当該取付けボスに連結しているガイド部と、が設けられ、前記表示装置は、前記表示装置取付け部に取り付けられる際に前記取付けボスに重畳する位置に設けられている取付け座を備え、    当該取付け座は、表示装置本体部から突出して設けられており、前記表示装置が前記表示装置取付け部に取り付けられる際に前記ガイド部に当接し、前記ガイド部に沿って傾斜しているガイド部当接面を有し、前記取付け座の前記ガイド部当接面が、前記ガイド部に当接している状態で、前記取付け座及び前記取付けボスにおいて固定部材を介して前記表示装置を前記表示装置取付け部に取り付ける際に、前記ガイド部当接面が前記ガイド部にガイドされることにより、前記表示装置が前記表示面露出開口部に向かって誘導され、前記表示面の前記一端と前記機能面の前記一端とが連続して配され、前記表示面が前記機能面に対して所定の角度をもって位置決めされることを特徴とする。
【０００８】
このような構成によれば、表示装置の取付け座のガイド部当接面が表示装置取付け部のガイド部に当接している状態で、固定部材により表示装置を取り付けるので、表示装置取付けの際にガイド部当接面がガイド部にガイドされることにより、表示装置が表示面露出開口部、すなわち乗物用機能部品に向かって誘導される。そのため、表示装置をユニットハウジングに対して精度よく位置合わせして組み付けることが可能であり、乗物用表示装置ユニットの意匠性を向上することができる。また、容易に、精度よく表示面と機能面とを連続して所定の角度をもって位置決めすることができる。
【０００９】
また、このような構成の表示装置の取付け構造において、表示装置の表示面が機能部品の機能面に対して所定の角度をもって配されているので、乗物内の乗員は真っすぐに表示装置の表示面を見ることができるので、表示文字が小さくても内容を見やすい。
【００１０】
前記ユニットハウジングは、４つのフレーム片を含む略四角形状のフレーム部を備え、前記フレーム部内において前記乗物用機能部品取付け部と前記表示装置取付け部とは隣接して設けられ、隣接部分において前記表示面露出開口部と前記機能面露出開口部が連続するように設けられており、前記表示装置取付け部には、前記４つのフレーム片のうち対向する２つの第１フレーム片と第２フレーム片のそれぞれから互いに対向するように延設されている壁部と、前記第１フレーム片と前記第２フレーム片との間に配されている第３フレーム片から前記表示面露出開口部まで前記ガイド部の傾斜に沿って傾斜して延設され、前記壁部の延設端と連結され、前記表示装置を支持する支持壁部とが設けられ、前記ユニットハウジングには、前記乗物用表示装置ユニットを乗物用内装品に取付けるためのクリップ座が、前記第１フレーム片あるいは前記第２フレーム片と前記第３フレーム片との角部付近に設けられており、前記ガイド部及び前記取付けボスは、前記壁部付近において前記支持壁部に連結されて設けられ、前記ガイド部は前記クリップ座から前記取付けボスまで延設されているものとすることができる。
【００１１】
このような構成によれば、取付けボス、ガイド部が表示装置取付け部の支持壁部に設けられているため、フレーム部の幅を細くすることが可能となり、見栄えが良くなる。また、ガイド部はクリップ座から取付けボスまで延設されているので、取付け座のガイド部当接面を安定してガイドすることができる。
【００１２】
前記表示装置取付け部に取り付けられた前記表示装置は、前記支持壁部において前記表示面露出開口部の開口縁部分に当接する位置に、表示装置当接部を有しているものとすることができる。
【００１３】
このような構成によれば、表示装置を取り付ける際に、表示装置当接部が表示面露出開口部の開口縁部分に当接することにより位置決めされ、取付け荷重を受けることができるため、表示面と開口縁部分とを段差なく位置合わせすることができる。
【００１４】
前記乗物用機能部品取付け部は、前記機能面露出開口部に対向して設けられている板状部材を有し、当該板状部材は、前記機能面露出開口部に配される前記機能面と対向する対向面と、当該対向面と反対側の裏面とを有し、前記裏面に基板が固定部材により取り付けられており、前記取付けボスと前記取付け座における前記固定部材の締結方向は、前記基板の前記裏面に対する前記固定部材の締結方向と同じであるものとすることができる。
【００１５】
このような構成によれば、表示装置を表示装置取付け部に固定部材を介して取り付けるための締結方向と、基板を乗物用機能部品取付け部に固定部材を介して取り付けるための締結方向が同じであるので、表示装置の取り付けと基板の取り付けを同一工程において行うことが可能となり、表示装置のユニットハウジングへの取付けが容易となり取付けに要する時間及びコストを削減することができる。
【００１６】
前記取付けボス及び前記ガイド部は複数設けられており、対向して配されている前記第１フレーム片と前記第２フレーム片から延設されている前記壁部のそれぞれの前記壁近傍に、前記取付けボス及び前記ガイド部が１つずつ設けられているものとすることができる。
【００１７】
このような構成によれば、ユニットハウジングにおいて対向する壁部のそれぞれの壁部近傍に、取付けボス及びガイド部が１つずつ設けられているので、表示装置はより安定して確実に表示装置取付け部に取り付けられ、機能面に対して表示面をより精度よく位置決めすることができる。
ことに特徴を有する。
【発明の効果】
【００１８】
本発明によれば、乗員は、乗物内において乗物用表示装置ユニットの表示装置の表示内容を見やすく、また表示装置を乗物用表示装置ユニットのユニットハウジングに精度よく組み付けることが可能であり、意匠性を向上することができる。
【図面の簡単な説明】
【００１９】
【図１】車両の天井材（乗物用内装品）に取り受けられた本発明の一実施形態に係る表示ユニット（乗物用表示装置ユニット）を示す説明図
【図２】表示ユニットの斜視図
【図３】表示ユニットの背面斜視図
【図４】表示ユニットのユニットハウジング及び照明装置の斜視図
【図５】ユニットハウジング及び表示装置の背面斜視図
【図６】ユニットハウジングの背面図
【図７】表示装置の斜視図
【図８】表示ユニットにおける主要部分の断面図
【発明を実施するための形態】
【００２０】
本発明の一実施形態を図１から図８を参照して説明する。本実施形態においては、図１及び図２に示すような車両の天井材２（乗物用内装品）に取り付けられている表示ユニット４（乗物用表示装置ユニット）について説明する。表示ユニット４は、天井材２において運転席と助手席の間や、前側座席と後部座席との間における車両幅の中央部に配されている。
【００２１】
表示ユニット４は、図２に示すように、照明装置６（乗物用機能部品）と表示装置８とを備えており、表示装置８は例えばデジタル時計としての表示機能を有しており、時刻を表示している。表示ユニット４において、照明装置６及び表示装置８は、照明装置６の照明レンズ１２の一端と表示装置８の表示パネル１４の一端が位置合わせ部１６において所定の角度をもって連続して配されるようにユニットハウジング１０に取り付けられている。本実施形態においては、表示ユニット４（乗物用表示装置ユニット）への表示装置８の取付け構造１００について説明する。
【００２２】
ユニットハウジング１０の構成について図４から図６を参照して説明する。ユニットハウジング１０は略四角形状のフレーム部１９を備え、その内部に照明装置取付け部１８（乗物用機能部品取付け部）と、表示装置取付け部２０（表示装置取付け部）が隣接して設けられている。図４に示すように、照明装置取付け部１８は、照明装置６の照明レンズ１２（機能面）を露出可能な機能面露出開口部２２を有し、表示装置取付け部２０は、表示装置８の表示パネル１４（表示面）を露出可能な表示面露出開口部２４を有している。照明装置取付け部１８と表示装置取付け部２０との隣接部分において、機能面露出開口部２２と表示面露出開口部２４は、連続して設けられている。
【００２３】
照明装置取付け部１８は、図４及び図５に示すように、フレーム部１９から延設している壁部２９と、機能面露出開口部２２に対向するように設けられている板状部材２６により囲まれた箱形状に形成されており、その内部に光源５が取り付けられ、機能面露出開口部２２を覆うように照明装置６が取り付けられる。照明装置取付け部１８には、爪部２８が設けられており、照明装置６に設けられた係合孔が爪部２８に係合することにより照明装置６は照明装置取付け部１８に取り付けられる。図２に示すように、照明装置６が照明装置取付け部１８に取り付けられた状態において、照明レンズ１２が機能面露出開口部２２から外部に露出している。
【００２４】
板状部材２６は、機能面露出開口部２２に対向し、機能面露出開口部２２に配される照明レンズ１２に対向する対向面２６Ａと、対向面２６Ａの反対側の裏面２６Ｂとを有し、裏面２６Ｂには、図３に示すように、基板３がネジ５（固定部材）により取り付けられている。また板状部材２６の裏面２６Ｂには、表示ユニット４を天井材２に取り付けるためのクリップを取り付けるクリップ座２５が設けられている。
【００２５】
表示装置取付け部２０は、図５及び図６に示すように、フレーム部１９において対向している第１フレーム片３０と第２フレーム片３２とから互いに対向するように延設している壁部３６と、第１フレーム片３０と第２フレーム片３２の間に配されている第３フレーム片３４から表示面露出開口部２４まで下降傾斜して延設されている支持壁部４０（支持壁部）により囲まれている。図２及び図５に示すように、壁部３６の延設端は支持壁部４０に連結され、壁部３６は全体として三角形状に形成されている。また、表示装置取付け部２０の壁部３６及び支持壁部４０は、フレーム部１９に対して、照明装置取付け部１８の壁部２９とは反対側に延設している。
【００２６】
表示装置取付け部２０において、第１フレーム片３０、第２フレーム片３２、第３フレーム片３４に囲まれた開口から、図５に示すように、表示装置８が挿入される。表示装置８が表示装置取付け部２０に挿入されると、表示パネル１４が表示面露出開口部２４から外側に露出するように、表示装置８は配される。
【００２７】
図５及び図６に示すように、第１フレーム片３０と第３フレーム片３４の角部及び、第２フレーム片３２と第３フレーム片の角部付近においてそれらの角部と連結し、且つ支持壁部４０から立設してクリップ座２５が形成されている。クリップ座２５からガイド部４２が支持壁部４０と同様に取付けボス４４に向かって下降傾斜して延設している。ガイド部４２において、下降傾斜して延設された端部には取付けボス４４がガイド部４２と連結して設けられている。このように、取付けボス４４はガイド部４２よりも表示面露出開口部２４近くに配されている。
【００２８】
ガイド部４２と取付けボス４４は、図６に示すように、第１フレーム片３０及び第２フレーム片３２の近傍に設けられており、壁部３６に近接して設けられている。ガイド部４２は、補助部材４８を介して壁部３６及び支持壁部４０に連結して形成されている。取付けボス４４は、補助部材４６を介して壁部３６に連結されており、補助部材４８を介して支持壁部４０に連結して形成されている。
【００２９】
図６に示すように、支持壁部４０の表示面露出開口部２４の開口縁に沿って、３つの位置合わせガイド部５０が形成されており、各位置合わせガイド部５０は支持壁部４０から突出しており、表示面露出開口部２４の開口縁に向かって延設されている。表示装置取付け部２０に表示装置８が挿入されるときに、表示パネル１４が表示面露出開口部２４から露出されるように位置合わせガイド部５０により誘導される。また、中央の位置合わせガイド部５０と表示面露出開口部２４の開口縁との間には、当て面５１が設けられている。
【００３０】
図５及び図６に示すように、照明装置取付け部１８と表示装置取付け部２０の間には位置決め当接部５４が設けられており、表示装置８が表示装置取付け部２０に取り付けられた際に、表示装置８の表示装置上側当接部５６が位置決め当接部５４に当接することにより表示装置８の上側部分が位置決めされる。
【００３１】
また、表示装置８の下側部分については、図６及び図８に示すように、表示装置８が表示装置取付け部２０に取り付けられた際に、表示面露出開口部２４の下側開口縁部１７（開口縁部分）に表示装置８の表示装置下側当接部５２が当接することにより位置決めされる。表示装置８の壁部３６側の両横部分も同様に、表示面露出開口部２４の開口縁部に当接することにより位置決めされる。
【００３２】
次に、表示装置８の構成について図５、図７及び図８を参照して説明する。表示装置８は、全体として直方体形状の本体部６０（表示装置本体部）と、本体部６０の長手方向における両端部に設けられている取付け座６２と、表示パネル１４と、本体部６０において表示パネル１４の上側に設けられている表示装置上側当接部５６と、を備える。表示装置上側当接部５６は、本体部６０の長手方向に延設されており、その両端部において支え部５８が突出して形成されている。
【００３３】
取付け座６２は、表示装置８が表示装置取付け部２０に取り付けられる際に取付けボス４４に重畳する位置において、本体部６０の両端部から突出して設けられている。取付け座６２は主に板状部材の取付け板部６４からなり、取付け板部６４には貫通孔６６が設けられている。取付け板部６４は、表示装置８が表示装置取付け部２０に取り付けられた状態において、照明装置取付け部１８の板状部材２６と略平行に配されるように本体部６０から延設されている。取付け板部６４は、表示パネル１４側の端部と、本体部６０において表示パネル１４とは反対側の背面６８側の端部を有している。
【００３４】
取付け板部６４の下面は、取付けボス４４に当接するボス当接面７０であり、取付け板部６４において背面６８側の端部はガイド部４２に当接するガイド部当接面７２である。ガイド部当接面７２は背面６８側から表示パネル１４に向かって下降傾斜する傾斜面であり、その傾斜面はガイド部４２の傾斜面と同様である。詳細には、本実施例においては、図８に示すように、取付け板部６４は背面６８側において下方に、すなわち、ガイド部４２に向かって延設しており、その先端部にガイド部当接面７２が設けられている。
【００３５】
また、図７に示すように、表示装置８の下面の表示パネル１４近傍において、中央部には位置合わせガイド部５０にガイドされ、当て面５１に当接される位置合わせ面７４が設けられ、両端には位置合わせガイド部５０にガイドされるスライド部７６が設けられている。
【００３６】
次に、照明装置６を照明装置取付け部１８に取り付け、表示装置８を表示装置取付け部２０に取り付ける作用及び取付け構造について、図２から図８を参照して説明する。
【００３７】
まず、図４に示すように、ユニットハウジング１０の照明装置取付け部１８において、照明装置６を機能面露出開口部２２から取り付ける。上述したように照明装置６に設けられた係合孔を爪部２８に係合させることにより照明装置６は照明装置取付け部１８に取付けられる。照明装置６が取り付けられた状態において、照明レンズ１２が機能面露出開口部２２から外部に露出している。ユニットハウジング１０の機能面露出開口部２２の反対側において、裏面２６Ｂに基板３をネジ５により取り付ける。
【００３８】
次に、図５に示すように、表示装置取付け部２０において、第１フレーム片３０、第２フレーム片３２、第３フレーム片３４に囲まれた開口から表示装置８を挿入し、取付け座６２の貫通孔６６が取付けボス４４の挿入孔４５に重畳するように表示装置８を配置する。このとき、表示パネル１４は表示面露出開口部２４から外側に露出するように配されている。
【００３９】
表示装置８を表示装置取付け部２０に挿入する際に、本体部６０の下面に設けられているスライド部７６及び位置合わせ面７４が、支持壁部４０に設けられている位置合わせガイド部５０にガイドされることにより、表示パネル１４の下端と表示面露出開口部２４の下側開口縁とが合うように位置合わせされる。位置合わせ面７４は当て面５１に当接する。また、表示パネル１４の上端側に設けられている表示装置上側当接部５６及び支え部５８が位置決め当接部５４に当接することにより、表示パネル１４の上端と照明レンズ１２の表示パネル１４側の端部が合うように位置合わせされ、位置合わせ部１６において表示パネル１４と照明レンズ１２とを所定の角度をもって配することができる。
【００４０】
上記したように表示装置８が表示装置取付け部２０に挿入された状態では、取付け座６２の貫通孔６６が取付けボス４４の挿入孔４５に重畳するように配されており、図８に示すように、取付け座６２のボス当接面７０は取付けボス４４の先端面に当接し、ガイド部当接面７２はガイド部４２の斜面に当接している。この状態において、ネジ７（固定部材）を貫通孔６６及び挿入孔４５に挿入し、締結することにより、表示装置８はユニットハウジング１０に対して、矢印Ａ方向に締結力が付加されネジ留めされるとともに、ガイド部当接面７２がガイド部４２に誘導されることにより、表示装置８にはユニットハウジング１０に対して矢印Ｂ方向に力が加わる。ガイド部４２はクリップ座２５から取付けボス４４まで延設されているので、取付け座６２のガイド部当接面７２を安定してガイドすることができる。
【００４１】
ネジ留めの際、図３及び図８に示すように、表示パネル１４は表示装置上側当接部５６及び支え部５８が位置決め当接部５４に当接している状態で、矢印Ｂ方向の押圧力が加わるので、表示装置８の上端を照明レンズ１２の位置合わせ部１６側の端部に対して隙間無く当接させることができる。そのため、図８に示すように、表示パネル１４の表示面と照明レンズ１２の表面とを段差なく位置合わせして取り付けることができる。
【００４２】
表示装置８の下側端部における表示装置下側当接部５２（表示装置当接部）は、表示面露出開口部２４の下側開口縁部１７（開口縁部分）に当接しており、矢印Ｂ方向への押圧力を当接部で受けることにより、表示パネル１４を表示面露出開口部２４の開口縁部に対して隙間なく配置することができる。そのため、図８に示すように、表示パネル１４の表示面と表示面露出開口部２４の下側開口縁部１７の車室側面は段差なく位置合わせして取り付けることができる。また、位置合わせ面７４が当て面５１に当接しているので、矢印Ｂ方向の押圧力（取付け荷重）を安定して受けることができる。
【００４３】
表示パネル１４の下側端部においては、表示装置８の下面に設けられている位置合わせ面７４が位置合わせガイド部５０に当接して位置合わせガイド部５０に沿ってスライドし、スライド部７６が両側に配されている位置合わせガイド部５０に沿ってスライドし、表示装置８は下側開口縁部１７に誘導される。このようにして、表示装置８を表示面露出開口部２４に対して位置合わせしつつ簡単に安定して誘導することができる。
【００４４】
上述したような構成により、表示パネル１４を照明レンズ１２に対して角度をもって配置し、位置合わせ部１６において段差が生じないように位置合わせしつつ、表示装置８を表示装置取付け部２０に取り付けることができる。詳細には、ユニットハウジング１０及び表示装置８にネジ７による締結を行うことにより、表示装置８に対して図８における矢印Ａ方向への締結力を加えながら、ガイド部４２及び取付け座６２のガイド部当接面７２により矢印Ｂ方向への押圧力を表示装置８に付加することができる。このように、表示装置８のユニットハウジング１０への取付けと位置合わせ、更には、表示パネル１４と照明レンズ１２との位置合わせを同時に行うことができるので、取り付けに要する時間及びコストを削減することができる。
【００４５】
このように、表示装置８をユニットハウジング１０に取り付けるための矢印Ａ方向の締結力とは別に、表示パネル１４を表示面露出開口部２４の開口縁に位置合わせするための矢印Ｂ方向の押圧力を加えるための工程や装置を準備する必要がないため、組み付けコストを抑えることができ、組み付け効率を向上することができる。
【００４６】
また、上述したような構成によれば、取付けボス４４の挿入孔４５の大きさや、取付けボス４４の設けられる位置にバラつきが生じた場合においても、ネジ７による締結の際に、矢印Ａ方向の締結力に加え、矢印Ｂ方向の押圧力が表示装置８及びユニットハウジング１０に対して付加されるので、取付けボス４４における誤差を埋め合わせて位置合わせすることが可能である。そのため、取付けボス４４におけるバラつきが生じた場合においても、表示装置８をユニットハウジング１０及び照明装置６に対して安定して、精度よく位置合わせして取り付けることができる。
【００４７】
また、図３に示すように、板状部材２６の裏面２６Ｂには基板３がネジ５により取り付けられており、基板３を取り付けるネジ５と、表示装置８を取り付けるネジ７は軸方向が同じであり、締結方向が同じであるため、同じ組み付け工程において基板３の組み付けと表示装置８の組み付けを行うことが可能である。そのため、工程数が増えることなく、組み付け効率が向上し、コストが削減される。
【００４８】
上記実施形態においては、表示装置８をユニットハウジング１０に取り付けるための取付けボス４４が支持壁部４０から立設された補助部材４８に連結して設けられており、フレーム部１９には設けられていない。そのため、フレーム部１９を細くすることができるため、車両室内における意匠上の見栄えが良くなる。
【００４９】
また、図１に示すように、表示装置８の表示パネル１４は照明レンズ１２に対して所定の角度をもって配されており、後部座席の乗員に対して正面から真っすぐ見ることができるように配されているので、例えば３列目や、さらに後部の座席の乗員からも見やすい。
【００５０】
＜他の実施形態＞
本発明は上記記述及び図面によって説明した実施形態に限定されるものではなく、例えば次のような実施形態も本発明の技術的範囲に含まれる。
【００５１】
本実施形態においては、乗物用機能部品として照明装置６を説明したが、例えば、スイッチパネル等の他の乗物用機能部品が取り付けられていてもよい。
【００５２】
また、本実施形態においては、表示ユニット４は車両の天井材２に取り付けられていたが、インストルメントパネル等の乗物用内装品に取り付けられることも可能である。
【００５３】
本実施形態においては、ガイド部４２は取付けボス４４において第３フレーム片３４側の外周面からクリップ座２５に延設されている。他の構成として、ガイド部が、取付けボスの第１フレーム片側の外周面から第１フレーム片から延設されている壁部に沿ってクリップ座まで延設されているような構成でもよい。この場合、表示装置の取付け座の取付け板部において、貫通孔よりも壁部側にガイド部当接面が設けられる。
【符号の説明】
【００５４】
２…天井材（乗物用内装品）、４…表示ユニット（乗物用表示装置ユニット）、６…照明装置（乗物用機能部品）、８…表示装置、１０…ユニットハウジング、１２…照明レンズ（機能面）、１４…表示パネル（表示面）、１６…位置合わせ部、１７…下側開口縁部（開口縁部分）、１８…照明装置取付け部（乗物用機能部品取付け部）、１９…フレーム部、２０…表示装置取付け部、２２…機能面露出開口部、２４…表示面露出開口部、２５…クリップ座、２６…板状部材、２６Ａ…対向面、２６Ｂ…裏面、２８…爪部、３０…第１フレーム片、３２…第２フレーム片、３４…第３フレーム片、３６…壁部、４０…支持壁部、４２…ガイド部、４４…取付けボス、４５…挿入孔、４６…補助部材、４８…補助部材、５０…位置合わせガイド部、５１…当て面、５２…表示装置下側当接部（表示装置当接部）、５４…位置決め当接部、５６…表示装置上側当接部、５８…支え部、６０…本体部（表示装置本体部）、６２…取付け座、６４…取付け板部、６６…貫通孔、７０…ボス当接面、７２…ガイド部当接面、７４…位置合わせ面
【図１】
2018176805.tif 000003
【図２】
2018176805.tif 000004
【図３】
2018176805.tif 000005
【図４】
2018176805.tif 000006
【図５】
2018176805.tif 000007
【図６】
2018176805.tif 000008
【図７】
2018176805.tif 000009
【図８】
2018176805.tif 000010